(57)【要約】    【課題】      通信経路障害を検出して通知することにより、無駄な呼受付及びデータ転送を抑制し、リソースの無駄な消費を回避すること。    【解決手段】  時刻同期処理部１１７は、ＦＰレイヤにてＲＮＣ１０３とＮｏｄｅ  Ｂ１０１との間の時刻同期処理を行って、時刻同期処理が終了したことを経路障害検出部１１９へ通知する。経路障害検出部１１９は、同期確立制限時間内に時刻同期処理が終了したことが通知されない場合には、経路障害が生じたものと判断して、経路障害が生じた旨の情報を出力する。Ｃプレーン処理部１２０は、経路障害が生じた旨の情報が入力した場合には、Ｎｏｄｅ  Ｂ１０１配下のＵＥへの新規呼受付の拒否を通知するとともに、ＩＰ公衆網／ユーザＬＡＮ／ＷＡＮ１０２を介して他のＮｏｄｅ  Ｂから転送されるデータの転送停止を要求する。  【選択図】      図１
2006067514.tif 000002
【特許請求の範囲】
【請求項１】
同期信号を通信経路を介して基地局装置へ送信する送信手段と、
前記基地局装置から前記通信経路を介して返信された前記同期信号を受信する受信手段と、
前記送信手段にて送信された前記同期信号の送信タイミングと、前記受信手段にて受信された前記同期信号に含まれる前記同期信号の前記基地局装置における受信タイミングの情報とに基づいて前記基地局装置との同期を確立する同期処理手段と、
前記同期処理手段にて同期確立制限時間内に前記基地局装置との同期を確立することができない場合に前記通信経路に障害が発生したものと判断する経路障害検出手段と、
前記経路障害検出手段にて障害が発生したものと判断された場合に障害発生を通知する通知手段と、
を具備することを特徴とする制御局装置。
【請求項２】
同期信号の通信相手への送信タイミングと、前記通信相手から返信された前記同期信号に含まれる前記同期信号の前記通信相手における受信タイミングの情報とに基づいて前記通信相手との同期を確立するステップと、
同期確立制限時間内に前記通信相手との同期を確立することができない場合に前記通信相手との通信経路に障害が発生したものと判断するステップと、
障害が発生したものと判断された場合に障害発生を通知するステップと、
を具備することを特徴とする通信経路障害発生通知方法。
【発明の詳細な説明】
【技術分野】
【０００１】
本発明は、制御局装置及び通信経路障害通知方法に関し、特に基地局装置と制御局装置との通信経路障害を検出する制御局装置及び通信経路障害通知方法に関する。
【背景技術】
【０００２】
移動通信システムは、移動端末（以下「ＵＥ」と記載する）、無線基地局装置（以下「Ｎｏｄｅ  Ｂ」と記載する）、Ｎｏｄｅ  Ｂを制御する無線ネットワーク制御装置（以下「ＲＮＣ」と記載する）、ＵＥの位置管理、呼制御等を行なうコアネットワーク（以下「ＣＮ」と記載する）により構成される（例えば、非特許文献１）。ＲＮＣとＮｏｄｅ  Ｂは、ルータまたはレイヤ２スイッチ等で構成されるＩＰ公衆網/ユーザＬＡＮ/ＷＡＮを介して接続される。図５は、移動通信システムの一例を示すものであり、ＣＮ５０１を介してＲＮＣ５０２とＲＮＣ５０３が接続されている。また、ＲＮＣ５０２は、ＩＰ公衆網/ユーザＬＡＮ/ＷＡＮ５０４を介してＮｏｄｅ  Ｂ５０６及びＮｏｄｅ  Ｂ５０７と接続されており、ＲＮＣ５０３は、ＩＰ公衆網/ユーザＬＡＮ/ＷＡＮ５０５を介してＮｏｄｅ  Ｂ５０８及びＮｏｄｅ  Ｂ５０９と接続されている。また、Ｎｏｄｅ  Ｂ５０６の配下にはＵＥ５１０及びＵＥ５１２が無線回線にて接続されており、Ｎｏｄｅ  Ｂ５０７の配下にはＵＥ５１１が無線回線にて接続されている。
【非特許文献１】3GPP，TS25.401 UTRAN overall description，V5.7.0
【発明の開示】
【発明が解決しようとする課題】
【０００３】
しかしながら、従来の装置においては、ＲＮＣとＮｏｄｅ  Ｂが、ルータまたはレイヤ２スイッチにて構成されるＩＰ公衆網／ユーザＬＡＮ／ＷＡＮを介して接続されるような場合には、通信経路障害を検出する方法が確立されていない。そのため、ＲＮＣは、ＲＮＣとＮｏｄｅ  Ｂとの間に通信経路障害が発生していても、通信経路障害が発生したＮｏｄｅ  Ｂへの新規呼を受付けてしまい、ＲＮＣ内部のリソースを無駄に消費するという問題がある。
【０００４】
本発明はかかる点に鑑みてなされたものであり、通信経路障害を検出して通知することにより、無駄な呼受付及びデータ転送を抑制することができるので、リソースの無駄な消費を回避することができる制御局装置及び通信経路障害通知方法を提供することを目的とする。
【課題を解決するための手段】
【０００５】
本発明の制御局装置は、同期信号を通信経路を介して基地局装置へ送信する送信手段と、前記基地局装置から前記通信経路を介して返信された前記同期信号を受信する受信手段と、前記送信手段にて送信された前記同期信号の送信タイミングと、前記受信手段にて受信された前記同期信号に含まれる前記同期信号の前記基地局装置における受信タイミングの情報とに基づいて前記基地局装置との同期を確立する同期処理手段と、前記同期処理手段にて同期確立制限時間内に前記基地局装置との同期を確立することができない場合に前記通信経路に障害が発生したものと判断する経路障害検出手段と、前記経路障害検出手段にて障害が発生したものと判断された場合に障害発生を通知する通知手段と、を具備する構成を採る。
【０００６】
この構成によれば、通信経路を介して送受信する同期信号に基づいて同期を確立することができなかった場合には通信経路障害が発生したものと判断して通知することにより、無駄な呼受付及びデータ転送を抑制することができるので、リソースの無駄な消費を回避することができる。
【０００７】
本発明の通信経路障害発生通知方法は、同期信号の通信相手への送信タイミングと、前記通信相手から返信された前記同期信号に含まれる前記同期信号の前記通信相手における受信タイミングの情報とに基づいて前記通信相手との同期を確立するステップと、同期確立制限時間内に前記通信相手との同期を確立することができない場合に前記通信相手との通信経路に障害が発生したものと判断するステップと、障害が発生したものと判断された場合に障害発生を通知するステップと、を具備するようにした。
【０００８】
この方法によれば、通信経路を介して送受信する同期信号に基づいて同期を確立することができなかった場合には通信経路障害が発生したものと判断して通知することにより、無駄な呼受付及びデータ転送を抑制することができるので、リソースの無駄な消費を回避することができる。
【発明の効果】
【０００９】
本発明によれば、通信経路障害を検出して通知することにより、無駄な呼受付及びデータ転送を抑制することができるので、リソースの無駄な消費を回避することができる。
【発明を実施するための最良の形態】
【００１０】
以下、本発明の実施の形態について、図面を参照して詳細に説明する。
【００１１】
（実施の形態）
図１は、本発明の実施の形態に係る移動通信システム１００の構成を示すブロック図である。移動通信システム１００は、Ｎｏｄｅ  Ｂ１０１、ＩＰ公衆網／ユーザＬＡＮ／ＷＡＮ１０２、ＲＮＣ１０３及びＣＮ１０４により構成される。なお、図１においては説明の都合上、ＵＥ、他のＲＮＣ及び他のＮｏｄｅ  Ｂの記載は省略する。
【００１２】
最初に、Ｎｏｄｅ  Ｂ１０１の構成について説明する。送信部１０６、受信部１０７及び時刻同期（Ｎｏｄｅ  Ｓｙｎｃｈｒｏｎｉｓａｔｉｏｎ）処理部１１０は、ＦＰ処理部１２１を構成する。また、無線受信部１０５、送信部１０６、受信部１０７、バッファ１０８、無線送信部１０９及び時刻同期処理部１１０は、Ｕプレーン処理部１２２を構成する。
【００１３】
無線受信部１０５は、図示しないＵＥから送信されたユーザデータを受信し、受信したユーザデータを無線処理して送信部１０６へ出力する。
【００１４】
送信部１０６は、無線受信部１０５から入力したユーザデータに対してＦＰ処理を行ってＦＰフレームを生成し、生成したＦＰフレームをＩＰ公衆網／ユーザＬＡＮ／ＷＡＮ１０２へ出力する。また、送信部１０６は、時刻同期処理部１１０から入力した時刻同期フレームに対してＦＰ処理を行ってＩＰ公衆網／ユーザＬＡＮ／ＷＡＮ１０２へ出力する。
【００１５】
受信部１０７は、ＩＰ公衆網／ユーザＬＡＮ／ＷＡＮ１０２から入力したＦＰフレームに対してＦＰ処理を行ってバッファ１０８へ出力する。また、受信部１０７は、ＩＰ公衆網／ユーザＬＡＮ／ＷＡＮ１０２から入力した時刻同期フレームに対してＦＰ処理を行って時刻同期処理部１１０へ出力する。
【００１６】
バッファ１０８は、受信部１０７から入力したＦＰフレームを一時的に蓄積して無線送信部１０９へ出力する。
【００１７】
無線送信部１０９は、バッファ１０８から入力したＦＰフレームを無線処理して図示しないＵＥへ送信する。
【００１８】
時刻同期処理部１１０は、図示しないＢＦＮカウンタを用いて、ＦＰレイヤにてＲＮＣ１０３とＮｏｄｅ  Ｂ１０１との間の時刻同期処理を行う。即ち、時刻同期処理部１１０は、受信部１０７から入力した時刻同期フレームに対して、時刻同期フレームを受信した時刻の情報及び時刻同期フレームを送信する時刻の情報を含めて送信部１０６へ出力する。ここで、時刻同期処理は、Ｎｏｄｅ  Ｂ１０１とＲＮＣ１０３との間の遅延、及びＮｏｄｅ  Ｂ１０１のＢＦＮカウンタとＲＮＣ１０３のＲＦＮカウンタとの位相差を算出するために行うものである。ＲＦＮはＲＮＣ１０３がカウントしているフレーム番号であり、ＢＦＮはＮｏｄｅ  Ｂ１０１がカウントしているフレーム番号である。
【００１９】
Ｃプレーン処理部１１１は、図示しないＵＥから受信した制御情報またはＩＰ公衆網／ユーザＬＡＮ／ＷＡＮ１０２から入力した制御情報を処理して、ＩＰ公衆網／ユーザＬＡＮ／ＷＡＮ１０２へ出力するか、または図示しないＵＥへ送信する。
【００２０】
次に、ＲＮＣ１０３の構成について説明する。バッファ１１４、送信部１１５、受信部１１６、時刻同期処理部１１７及び送信タイミング制御部１１８は、ＦＰ処理部１２３を構成する。また、ＲＬＣ（Radio Link Control）処理部１１２、ＭＡＣ処理部１１３、バッファ１１４、送信部１１５、受信部１１６、時刻同期処理部１１７、送信タイミング制御部１１８及び経路障害検出部１１９は、Ｕプレーン処理部１２４を構成する。
【００２１】
ＲＬＣ処理部１１２は、ＣＮ１０４から入力したユーザデータに対してＲＬＣ処理を行ってＭＡＣ処理部１１３へ出力する。また、ＲＬＣ処理部１１２は、ＭＡＣ処理部１１３から入力したユーザデータに対してＲＬＣ処理を行ってＣＮ１０４へ出力する。
【００２２】
ＭＡＣ処理部１１３は、ＲＬＣ処理部１１２から入力したユーザデータに対してＭＡＣ処理を行ってバッファ１１４へ出力する。また、ＭＡＣ処理部１１３は、受信部１１６から入力したユーザデータに対してＭＡＣ処理を行ってＲＬＣ処理部１１２へ出力する。
【００２３】
バッファ１１４は、ＭＡＣ処理部１１３から入力したユーザデータを一時的に蓄積して送信部１１５へ出力する。
【００２４】
送信部１１５は、バッファ１１４から入力したユーザデータをＦＰフレームに変換し、変換したＦＰフレームを送信タイミング制御部１１８より指示されたタイミングにてＩＰ公衆網／ユーザＬＡＮ／ＷＡＮ１０２へ出力する。また、送信部１１５は、時刻同期処理部１１７から入力した時刻同期フレームに対してＦＰ処理を行って、送信タイミング制御部１１８より指示されたタイミングにてＩＰ公衆網／ユーザＬＡＮ／ＷＡＮ１０２へ出力する。
【００２５】
受信部１１６は、ＩＰ公衆網／ユーザＬＡＮ／ＷＡＮ１０２から入力したＦＰフレームに対してＦＰ処理を行ってＭＡＣ処理部１１３へ出力する。また、受信部１１６は、ＩＰ公衆網／ユーザＬＡＮ／ＷＡＮ１０２から入力した時刻同期フレームに対してＦＰ処理を行って時刻同期処理部１１７へ出力する。
【００２６】
時刻同期処理部１１７は、図示しないＲＦＮカウンタを用いて、ＦＰレイヤにてＲＮＣ１０３とＮｏｄｅ  Ｂ１０１との間の時刻同期処理を行う。即ち、時刻同期処理部１１７は、時刻同期フレームに対して、時刻同期フレームを送信する時刻の情報を含めて送信部１１５へ出力する。また、時刻同期処理部１１７は、受信部１１６から入力した時刻同期フレームの受信タイミングと、時刻同期フレームに含まれている時刻の情報とに基づいて、ＲＮＣ１０３とＮｏｄｅ  Ｂ１０１との間の時刻同期処理を行う。そして、時刻同期処理部１１７は、時刻同期処理の結果を送信タイミング制御部１１８へ出力する。また、時刻同期処理部１１７は、ＲＮＣ１０３とＮｏｄｅ  Ｂ１０１との間の時刻同期処理が終了した場合には、時刻同期処理が終了したことを経路障害検出部１１９へ通知する。なお、時刻同期処理の方法については後述する。
【００２７】
送信タイミング制御部１１８は、時刻同期処理部１１７から入力したＲＮＣ１０３とＮｏｄｅ  Ｂ１０１との間の時刻同期処理の結果に基づいて、ＦＰフレームを送信するタイミングを決定する。そして、送信タイミング制御部１１８は、決定した送信タイミングにてＦＰフレームを送信するように送信部１１５に指示する。
【００２８】
経路障害検出部１１９は、あらかじめ設定した所定の時間である同期確立制限時間内に、時刻同期処理部１１７から時刻同期処理が終了したことが通知された場合には、経路障害が生じていないものと判断して何も出力しない。また、経路障害検出部１１９は、同期確立制限時間内に、時刻同期処理部１１７から時刻同期処理が終了したことが通知されない場合には、経路障害が生じたものと判断して、経路障害が生じた旨の情報をＣプレーン処理部１２０へ出力する。そして、経路障害検出部１１９は、同期確立制限時間内に、時刻同期処理が終了したことが再び通知された場合には、経路障害の復旧の情報がＣプレーン処理部１２０へ出力される。
【００２９】
Ｃプレーン処理部１２０は、ＣＮ１０４から入力した制御情報またはＩＰ公衆網／ユーザＬＡＮ／ＷＡＮ１０２から入力した制御情報を処理して、ＩＰ公衆網／ユーザＬＡＮ／ＷＡＮ１０２またはＣＮ１０４へ送信する。また、Ｃプレーン処理部１２０は、経路障害検出部１１９から経路障害が生じた旨の情報が入力した場合には、Ｎｏｄｅ  Ｂ１０１配下のＵＥへの新規呼受付の拒否をＣＮ１０４へ通知するとともに、ＩＰ公衆網／ユーザＬＡＮ／ＷＡＮ１０２を介して他のＮｏｄｅ  Ｂから転送されるデータの転送停止を、ＣＮ１０４及び他のＮｏｄｅ  Ｂの配下のＵＥへ要求する。また、Ｃプレーン処理部１２０は、経路障害検出部１１９から経路障害の復旧の情報が入力した場合には、Ｎｏｄｅ  Ｂ１０１配下のＵＥへの新規呼受付の再開をＣＮ１０４へ通知するとともに、ＩＰ公衆網／ユーザＬＡＮ／ＷＡＮ１０２を介して他のＮｏｄｅ  Ｂから転送されるデータの転送を、ＣＮ１０４及び他のＮｏｄｅ  Ｂの配下のＵＥへ要求する。
【００３０】
次に、移動通信システム１００の動作について、図２を用いて説明する。図２は、移動通信システム１００の動作を示すシーケンス図である。
【００３１】
最初に経路障害が発生していない通常時における動作Ｍ１について説明する。ＲＮＣ１０３の時刻同期処理部１１７は、時刻Ｔ１にてＤＬ時刻同期フレームを出力し、ＲＮＣ１０３はＤＬ時刻同期フレームを配下の全てのＮｏｄｅ  Ｂ１０１へ送信する（ステップＳＴ２０１）。この際、時刻同期処理部１１７は、ＤＬ時刻同期フレームに対して、送信した時刻Ｔ１の情報を含める。また、経路障害検出部１１９は内部タイマをスタートさせる。ＲＮＣ１０３は、周期Ｔｓにて定期的にＤＬ時刻同期フレームを配下の全てのＮｏｄｅ  Ｂ１０１へ送信する。
【００３２】
次に、Ｎｏｄｅ  Ｂ１０１はＤＬ時刻同期フレームを受信し、Ｎｏｄｅ  Ｂ１０１の時刻同期処理部１１０は、時刻Ｔ２にてＤＬ時刻同期フレームを受け取る。
【００３３】
次に、時刻同期処理部１１０は、時刻Ｔ３にてＤＬ時刻同期フレームを出力し、Ｎｏｄｅ  Ｂ１０１はＵＬ時刻同期フレームをＲＮＣ１０３へ送信する（ステップＳＴ２０２）。この際、時刻同期処理部１１０は、ＵＬ時刻同期フレームに対して、受信した時刻Ｔ２の情報及び送信した時刻Ｔ３の情報を含める。したがって、この時点ではＵＬ時刻同期フレームには時刻Ｔ１、Ｔ２、Ｔ３の情報が含まれている。
【００３４】
次に、ＲＮＣ１０３はＵＬ時刻同期フレームを受信し、ＲＮＣ１０３の時刻同期処理部１１７は、時刻Ｔ４にてＵＬ時刻同期フレームを受け取る。そして、時刻同期処理部１１７は、ＵＬ時刻同期フレームを受信した時刻Ｔ４とＵＬ時刻同期フレームに含まれている時刻Ｔ１、Ｔ２、Ｔ３の情報に基づいて時刻同期処理を行う。具体的には、時刻同期処理部１１７は、時刻Ｔ１、Ｔ２、Ｔ３、Ｔ４に基づいて、ＲＮＣ１０３とＮｏｄｅ  Ｂ１０１との間の遅延を算出するとともに、ＲＮＣ１０３の時刻同期処理部１１７及びＮｏｄｅ  Ｂ１０１の時刻同基処理部１１０が有しているカウンタの位相差を算出する。そして、送信タイミング制御部１１８は、ＲＮＣ１０３とＮｏｄｅ  Ｂ１０１との間の位相差の算出結果をＦＰフレームの送信タイミング制御情報として使用する。
【００３５】
次に、時刻同期処理部１１７は、時刻同期処理が終了したことを経路障害検出部１１９へ通知する（ステップＳＴ２０３）。経路障害検出部１１９は、時刻Ｔ１から時刻Ｔ６までの時間を、障害が生じたものと判断する障害判定しきい値である時間Ｔｂとしてあらかじめ設定しており、時刻Ｔ６よりも前の時刻Ｔ５にて時刻同期処理部１１７から時刻同期処理が終了した旨の通知を受け取ったため、障害が生じていないものと判断する。即ち、経路障害検出部１１９は、時刻Ｔ１と時刻Ｔ５間の時間Ｔｒが障害判定しきい値である時間Ｔｂよりも小さいので、障害が生じていないものと判断する。そして、この結果、経路障害検出部１１９はＣプレーン処理部１２０へ何も出力しない。
【００３６】
次に、ＲＮＣ１０３とＮｏｄｅ  Ｂ１０１との間で経路障害が発生した場合における動作Ｍ２について説明する。
【００３７】
ＲＮＣ１０３の時刻同期処理部１１７は、時刻Ｔ７にてＤＬ時刻同期フレームを出力し、ＲＮＣ１０３はＤＬ時刻同期フレームを配下の全てのＮｏｄｅ  Ｂ１０１へ送信する（ステップＳＴ２０４）。この際、時刻同期処理部１１７は、ＤＬ時刻同期フレームに対して、送信した時刻Ｔ７の情報を含める。また、経路障害検出部１１９は内部タイマをスタートさせる。
【００３８】
しかし、途中で経路障害が発生することにより、ＲＮＣ１０３はＮｏｄｅ  Ｂ１０１から出力されたＤＬ時刻同期フレームを受け取ることができず、Ｎｏｄｅ  Ｂ１０１がＲＮＣへＵＬ時刻同期フレームを出力することもない。この結果、経路障害検出部１１９は、時刻Ｔ８までに時刻同期処理が終了した旨の通知を受け取らないため、経路障害検出部１１９の内部タイマの測定時間が障害判定しきい値Ｔｂを超える。
【００３９】
次に、経路障害検出部１１９は、時刻Ｔ８を超えた時点において、ＲＮＣ１０３とＮｏｄｅ  Ｂ１０１との間の経路にて障害が生じたものと判断し、Ｃプレーン処理部１２０に対して経路障害を通知する（ステップＳＴ２０５）。
【００４０】
次に、Ｃプレーン処理部１２０は、経路障害が発生したＮｏｄｅ  Ｂ１０１配下のＵＥへの新規呼受付の拒否をＣＮ１０４へ通知するとともに、ＩＰ公衆網／ユーザＬＡＮ／ＷＡＮ１０２を介して他のＮｏｄｅ  Ｂから転送されるデータの転送停止を、ＣＮ１０４及び他のＮｏｄｅ  Ｂの配下のＵＥへ要求する。経路障害が復旧した場合には、経路障害検出部１１９は、ＣＮ１０４へ経路障害の復旧を通知し、新規呼の受付及びデータ転送の再開を要求する。
【００４１】
次に、時刻同期処理について詳細を説明する。Ｎｏｄｅ  ＢとＲＮＣとの間の遅延Ｄは（１）式より求めることができる。
【００４２】
Ｄ＝（（Ｔ４−Ｔ１）−（Ｔ３−Ｔ２））／２              （１）
ここで、ＤはＮｏｄｅ  ＢとＲＮＣとの間の遅延
Ｔ１はＲＮＣが時刻同期フレームを送信する時刻
Ｔ２はＮｏｄｅ  Ｂが時刻同期フレームを受信する時刻
Ｔ３はＮｏｄｅ  Ｂが時刻同期フレームを送信する時刻
Ｔ４はＲＮＣが時刻同期フレームを受信する時刻
【００４３】
また、ＲＦＮカウンタとＢＦＮカウンタの位相差は（２）式より求めることができる。
【００４４】
Ｐ＝Ｔ２−Ｔ１−Ｄ                    （２）
ここで、ＰはＲＦＮカウンタとＢＦＮカウンタの位相差
Ｔ１はＲＮＣが時刻同期フレームを送信する時刻
Ｔ２はＮｏｄｅ  Ｂが時刻同期フレームを受信する時刻
ＤはＮｏｄｅ  ＢとＲＮＣとの間の遅延
【００４５】
例えば、図３より、ＲＮＣは時刻同期フレームを送信する時刻として「７」のＲＦＮカウンタ値＃３０１の時に時刻同期フレームを送信し、Ｎｏｄｅ  Ｂは時刻同期フレームを受信する時刻として「１２」のＢＦＮカウンタ値＃３０２の時に時刻同期フレームを受信する。また、Ｎｏｄｅ  Ｂは時刻同期フレームを送信する時刻として「１４」のＢＦＮカウンタ値＃３０３の時に時刻同期フレームを送信し、ＲＮＣは時刻同期フレームを受信する時刻として「１１」のＲＦＮカウンタ値＃３０４の時に時刻同期フレームを受信する。このような場合において、時刻同期処理部１１７は、（１）式より、Ｄ＝（（１１−７）−（１４−１２））／２であるから、Ｎｏｄｅ  ＢとＲＮＣとの間の遅延Ｄの値として「１」を算出する。そして、時刻同期処理部１１７は、（２）式より、Ｐ＝１２−７−１であるから、ＲＦＮカウンタとＢＦＮカウンタの位相差の値として「４」を算出する。
【００４６】
このようにして求められたＲＦＮカウンタとＢＦＮカウンタの位相差は、Ｎｏｄｅ  Ｂへ通知され、ＣＦＮカウンタのカウントタイミングの調整に使用される。ここで、ＣＦＮはＵＴＲＡＮ（ＲＮＣとＮｏｄｅ  Ｂ）での共通のフレーム番号である。
【００４７】
また、Ｎｏｄｅ  ＢとＲＮＣとの間の遅延は、ＲＮＣとＮｏｄｅ  Ｂとの間のトランスポートチャネル（Transport Channel）が設定された時点で実施されるトランスポートチャネル時刻同期（Transport Channel Synchronization）で使用される。トランスポートチャネル時刻同期では、Ｎｏｄｅ  Ｂが無線インタフェースへデータを送信する際の送信遅延時間やバッファ遅延時間が最小になるように、ＲＮＣからＮｏｄｅ  Ｂへ送信するフレームの送信タイミングを決定する。ＲＮＣからＮｏｄｅ  Ｂへのフレーム送信はトランスポートチャネル時刻同期後に開始され、ＲＮＣは決定した送信タイミングでフレームを送信するとともに、Ｎｏｄｅ  Ｂが無線インタフェースへデータを送信するＣＦＮを指定する。
【００４８】
図４は、ユーザプレーンのプロトコル構成の一例を示す図である。図４より、ＵＥは、ＰＨＹレイヤ＃４０１、ＭＡＣレイヤ＃４０２及びＲＬＣレイヤ＃４０３から構成される。また、Ｎｏｄｅ  Ｂは、ＰＨＹレイヤ＃４０４、Ｌ１レイヤ＃４０５、Ｌ２レイヤ＃４０６及びＦＰレイヤ＃４０７から構成される。また、ＲＮＣは、Ｌ１レイヤ＃４０８、Ｌ２レイヤ＃４０９、ＦＰレイヤ＃４１０、ＭＡＣレイヤ＃４１１及びＲＬＣレイヤ＃４１２から構成される。時刻同期は、Ｎｏｄｅ  ＢのＦＰレイヤ＃４０７とＲＮＣのＦＰレイヤ＃４１０との間にて実施される。
【００４９】
このように、本実施の形態によれば、ＲＮＣのＦＰレイヤとＮｏｄｅ  ＢのＦＰレイヤの間にて行われる時刻同期により経路障害を検出して、新規呼の受付の拒否及びデータの転送停止を要求するので、無駄な呼受付及びデータ転送を抑制することができ、リソースの無駄な消費を回避することができる。また、本実施の形態によれば、時刻同期により経路障害を検出するので、経路障害を検出するための専用の回路が不要になって、回路規模を小さくすることができる。また、本実施の形態によれば、定期的に行われる時刻同期により経路障害を検出することにより、定期的に障害が発生しているか否かを監視することができるので、経路障害を確実に検出することができる。また、本実施の形態によれば、時刻同期処理にて経路障害を検出するので、経路障害を検出するための専用の信号の送受信処理を行う必要がなく、簡単な処理にて経路障害を検出することができる。
【産業上の利用可能性】
【００５０】
本発明にかかる制御局装置及び通信経路障害通知方法は、通信経路障害を検出して通知することにより、無駄な呼受付及びデータ転送を抑制することができるので、リソースの無駄な消費を回避する効果を有し、通信経路の障害を検出するのに有用である。
【図面の簡単な説明】
【００５１】
【図１】本発明の実施の形態に係る移動通信システムの構成を示すブロック図
【図２】本発明の実施の形態に係る移動通信システムの動作を示すシーケンス図
【図３】本発明の実施の形態に係る時刻同期処理を示す図
【図４】本発明の実施の形態に係るプロトコル構成を示す図
【図５】移動通信システムの構成を示す模式図
【符号の説明】
【００５２】
１００  移動通信システム
１０１  Ｎｏｄｅ  Ｂ
１０２  ＩＰ公衆網／ユーザＬＡＮ／ＷＡＮ
１０３  ＲＮＣ
１０４  ＣＮ
１０５  無線受信部
１０６、１１５  送信部
１０７、１１６  受信部
１０８、１１４  バッファ
１０９  無線送信部
１１０、１１７  時刻同期処理部
１１１、１２０  Ｃプレーン処理部
１１２  ＲＬＣ処理部
１１３  ＭＡＣ処理部
１１８  送信タイミング制御部
１１９  経路障害検出部
【図１】
2006067514.tif 000003
【図２】
2006067514.tif 000004
【図３】
2006067514.tif 000005
【図４】
2006067514.tif 000006
【図５】
2006067514.tif 000007